(57)【要約】【課題】異なる形態で並設可能な長方形の発泡マットを提供する。【解決手段】本体１の辺部には第一凸状歯部２、第一凹部３、第二凸状歯部４、第二凹部５、第三凸状歯部６、及び第三凹部７を有し、且つ各々相補する凸凹になる。第三凸状歯部の形状と２つの本体の第二凸状歯部が並設する際の凸形状とは同じであり、第三凹部の形状と２つの本体の第二凸状歯部が並設する際の第二凹部に隣接する箇所の凹形状とは同じである。これにより異なる形態で並設可能である。【選択図】図１
2015031149.tif 000002
【特許請求の範囲】
【請求項１】
長辺及び短辺を有する長方形に形成されており、前記長辺の長さが前記短辺の長さの複数倍である本体と
前記長辺及び前記短辺に形成されており、相補する凸凹形状を呈する複数の第一凸状歯部及び複数の第一凹部と、
前記本体の四隅の前記長辺及び前記短辺に形成されており、相補する凸凹形状を呈する複数の第二凸状歯部及び複数の第二凹部と、
前記長辺の一端から前記短辺の長さの倍数である所定距離離れている箇所に形成され、互いに隣接しており、相補する凸凹形状を呈する複数の第三凸状歯部及び複数の第三凹部と、を備え、
一方の前記長辺に形成されている前記第二凸状歯部は、一方の前記短辺に形成されている前記第二凹部と隣接しており、他方の前記短辺に形成されている前記第二凸状歯部と離間しており、
前記第三凸状歯部は、一方の前記第二凸状歯部と、当該第二凸状歯部と隣接する前記第二凹部に嵌め込まれている他方の前記第二凸状歯部の一部とが組み合わせた形状と同様な形状を有し、
前記第一凸状歯部は、底部の両側から第一所定方向および第二所定方向傾斜している２つの第一斜面部、および、２つの前記第一斜面部の末端を連接し底部より幅が広く形成されている第一平面部を有し、
前記第二凸状歯部は、底部の一端から第三所定方向に傾斜している第二斜面部、底部の他端から第四所定方向に傾斜しており前記第二斜面部より短く形成されている第三斜面部、前記第三斜面部から前記第三斜面部と直交するよう第五所定方向に傾斜しており前記第二斜面部より短く形成されている第四斜面部、および、前記第二斜面部及び前記第四斜面部の末端を連接し底部より幅が広く形成されている第二平面部を有し、
前記第三凸状歯部は、底部の一端から第六所定方向に傾斜している第五斜面部、底部の他端から第七所定方向に傾斜している第六斜面部、および、前記第五斜面部及び前記第六斜面部の末端を連接する第三平面部を有することを特徴とする長方形の発泡マット。
【発明の詳細な説明】
【技術分野】
【０００１】
本発明は、長方形の発泡マットに関し、異なる形態で並設可能な長方形の発泡マットに関する。
【背景技術】
【０００２】
図９は従来の発泡マットを示す。本体９は正方形を呈し、四辺部９１は皆複数の第一凸部９２及び第一凹部９３を有すると共に相互に凸凹形状を呈し、各辺部９１の両端即ち本体９の四隅には第二凸部９４及び第二凹部９５を有する。２つの本体９が並設されると、内の１つの本体９の辺部９１の複数の第一凸部９２がもう１つの本体９の辺部９１の第一凹部９３と接合し凸凹形状で密接し、１つの本体９の辺部の角の第二凸部９４はもう１つの本体９の辺部の角箇の第二凹部９５に接合し凸凹形状で密接し、所定の領域内に平坦なマットを組成する。
【先行技術文献】
【特許文献】
【０００３】
【特許文献１】特開２００５−４２４１６号公報
【発明の概要】
【発明が解決しようとする課題】
【０００４】
しかしながら、前述した従来の発泡マットでは、即ち、上述の本体９を並設すると、２つの本体９の間は第一凸部９２と第一凹部９３とが整合し、また第二凸部９４と第二凹部９５とが整合し、１つの本体９の辺部９１ともう１つの本体の辺部９１が整合して並設する方式で連結される。本体９の構造は１つの形態で並設する方式であり、並設方式を改変させて多様な形態に変化できず、並設の形態に限りがあるほか、外観も本体９の表面の色や模様に異なる装飾を施すのみであり、改善の余地があった。
【０００５】
そこで、本発明者は、上記の欠点が改善可能と考え、鋭意検討を重ねた結果、合理的な構成で上記の課題を効果的に改善する本発明の提案に到った。
【０００６】
本発明は、このような従来の問題に鑑みてなされたものである。なお、本発明の主な目的は、上述の問題を解決するために、異なる形態で並設可能な長方形の発泡マットを提供することにある。
【課題を解決するための手段】
【０００７】
上述した課題を解決し、目的を達成するために、本発明に係る長方形の発泡マットは、本体、複数の第一凸状歯部、複数の第一凹部、複数の第二凸状歯部、複数の第二凹部、複数の第三凸状歯部、及び、複数の第三凹部を備える。
本体は、長辺及び短辺を有する長方形に形成されており、長辺の長さが短辺の長さの複数倍である。複数の第一凸状歯部及び複数の第一凹部は、長辺及び短辺に形成されており、相補する凸凹形状を呈する。複数の第二凸状歯部及び複数の第二凹部は、本体の四隅の長辺及び短辺に形成されており、相補する凸凹形状を呈する。複数の第三凸状歯部及び複数の第三凹部は、長辺の一端から短辺の長さの倍数である所定距離離れている箇所に形成され、互いに隣接しており、相補する凸凹形状を呈する。
【０００８】
一方の長辺に形成されている第二凸状歯部は、一方の短辺に形成されている第二凹部と隣接しており、他方の短辺に形成されている第二凸状歯部と離間している。
第三凸状歯部は、一方の第二凸状歯部と、当該第二凸状歯部と隣接する第二凹部に嵌め込まれている他方の第二凸状歯部の一部とが形成されている形状と同様な形状を有する。
第一凸状歯部は、底部の両側から第一所定方向および第二所定方向傾斜している２つの第一斜面部、および、２つの第一斜面部の末端を連接し底部より幅が広く形成されている第一平面部を有する。
第二凸状歯部は、底部の一端から第三所定方向に傾斜している第二斜面部、底部の他端から第四所定方向に傾斜しており第二斜面部より短く形成されている第三斜面部、及び、第三斜面部から第三斜面部と直交するよう第五所定方向に傾斜しており第二斜面部より短く形成されている第四斜面部、および、第二斜面部及び第四斜面部の末端を連接し底部より幅が広く形成されている第二平面部を有する。
第三凸状歯部は、底部の一端から第六所定方向に傾斜している第五斜面部、底部の他端から第七所定方向に傾斜している第六斜面部、および、第五斜面部及び第六斜面部の末端を連接する第三平面部を有する。
【発明の効果】
【０００９】
本発明の長方形の発泡マットによれば、本体の並設方式に異なる形態を適用でき、多くの形態変化を達成することができる。
【図面の簡単な説明】
【００１０】
【図１】本発明の第１実施形態による長方形の発泡マットを示す斜視図である。
【図２】本発明の第１実施形態による長方形の発泡マットを組み合わせた状態を示す要部拡大図である。
【図３】本発明の第１実施形態による長方形の発泡マットの組み合わせ状態を示す模式図である。
【図４】本発明の第１実施形態による長方形の発泡マットの組み合わせ状態を示す模式図である。
【図５】本発明の第２実施形態による長方形の発泡マットを示す外斜視図である。
【図６】本発明の第２実施形態による長方形の発泡マットの組み合わせ状態を示す模式図である。
【図７】本発明の第２実施形態による長方形の発泡マットの組み合わせ状態を示す模式図である。
【図８】本発明の第２実施形態による長方形の発泡マットの組み合わせ状態を示す模式図である。
【図９】従来の発泡マットを示す傾斜図である。
【発明を実施するための形態】
【００１１】
本発明における好適な実施の形態について、添付図面を参照して説明する。尚、以下に説明する実施形態は、特許請求の範囲に記載された本発明の内容を限定するものではない。また、以下に説明される構成の全てが、本発明の必須要件であるとは限らない。
【００１２】
（第１実施形態）
以下、本発明の長方形の発泡マットを図１〜４に基づいて説明する。図１に示す長方形の発泡マットは、長矩形の本体１を有する。本体１は２辺の長辺１１及び２辺の短辺１２を備え、長辺１１の長さは短辺１２の長さの複数倍である。本実施形態では、長辺１１の長さは短辺１２の三倍の長さである。
【００１３】
なお、各長辺１１及び短辺１２は共に並設する複数の第一凸状歯部２及び複数の第一凹部３を有し、本実施形態による各第一凸状歯部２の両側には凸状歯の底部２１から第一方向および第二方向に傾斜している２つの第一斜面部２２を有し、２つの第一斜面部２２の末端を連接する第一平面部２３が形成され、第一凹部３と第一凸状歯部２とは相補する凸凹形状を呈する（図１参照）。
【００１４】
また、各長辺１１及び各短辺１２の両端即ち本体１の四隅には皆第二凸状歯部４及び第二凹部５を有する。各長辺１１の第二凸状歯部４と隣接する短辺の第二凹部５とは互いに近接する。各長辺１１の第二凸状歯部４と隣接する短辺１２の第二凸状歯部４とは互いに離れる。本実施形態による各第二凸状歯部４の一側には凸状歯の底部４１から第三方向に傾斜している第二斜面部４２を有し、他側には凸状歯の底部４１から第四方向に傾斜している短い第三斜面部４３、及び第三斜面部４３から第三斜面部４３と直交するよう第五方向に傾斜している第四斜面部４４を有し、第二斜面部４２及び第四斜面部４４の末端を連接する第二平面部４５が形成され、各第二凹部５の形状と第二凸状歯部４とは相補する凸凹形状を呈する。
【００１５】
各長辺１１の短辺１２の倍数の長さになる箇所には互いに近接する第三凸状歯部６及び第三凹部７を有し、本実施形態による各第三凸状歯部６の一側には凸状歯の底部６１から第六方向に傾斜している第五斜面部６２を有し、他側には凸状歯の底部６１から第七方向に傾斜している第六斜面部６３を有し、第五斜面部６２及び第六斜面部６３の末端を連接する第三平面部６４が形成され、各第三凹部７と第三凸状歯部６とは相補する凸凹形状を呈する。前述の各長辺１１の短辺１２の倍数の長さになる箇所とは、長辺１１の長さは短辺１２の長さを等分した領域の接合箇所であり、例えば本実施形態の長辺１１の長さは短辺１２の長さを３つの領域に等分し、３つの領域間には２つの接合箇所を有し、第三凸状歯部６と第三凹部７とは互いに近接して接合箇所に設けられている。
【００１６】
さらに、２つの本体１の第二凸状歯部４を並設すると、凸形状(即ち、図２に示す凸状歯部６Ａ)と第三凸状歯部６の形状は同じになる。また、２つの本体１の第二凸状歯部６を並設すると、第二凹部５に隣接する箇所の凹形状(即ち、図２の凹部７Ａ)は第三凹部７の形状と同じになる（図２参照）。
【００１７】
上述したように、上述の本体１は長辺１１と長辺１１とが整合し、短辺１２と短辺１２とも整合する方式で並設されるほか、図３に示すように、複数の本体１の間の長辺１１と長辺１１とは横方向に交錯する方式で並設され、木質のフロア板の並設方式によりマットを組成する。
【００１８】
なお、図４に示すように、本体１の表面の色が違う場合、例えば図中の本体１Ａの表面の色が濃く、本体１Ｂの表面の色が中間色であり、本体１Ｃの表面の色が薄い場合、前述の交錯方式で並設されず、長辺１１と長辺１１とが整合し、短辺１２と短辺１２とが整合する方式で並設され、装飾効果を達成する。
【００１９】
上述の説明から理解できる本発明の長所は、長辺１１の長さは短辺１１の倍数の長さの位置に設けられる第三凸状歯部６及び第三凹部７により、２つの本体１の第二凸状歯部４を並設した後の凸形状(即ち、凸状歯部６Ａ)及び第二凹部５に隣接する箇所の凹形状（即ち、凹部７Ａ）は密接した凸凹形状で接合され、前述の本体１を交錯して並設すて組合せを変化し、従来のマット本体に比べ多くの形態の変化が生じ、辺部と辺部とを整合する方式で並設し、表面の模様を変化して多様な装飾効果を達成しる点である。
【００２０】
（第２実施形態）
以下、第２実施形態を図５〜８に基づいて説明する。本発明には多くの実施形態が存在するが、それらは僅かな細部の変化である。図５は本発明の第２実施形態である。本体１Ｄは同様に長辺１１Ｄ及び１２Ｄを有し、第一実施形態と同様に第一凸状歯部２Ｄ、第一凹部３Ｄ、第二凸状歯部４Ｄ、第二凹部５Ｄ、第三凸状歯部６Ｄ、及び第三凹部７Ｄを有する。差異は本実施形態の長辺１１の長さは短辺１２の４倍の長さである点である。
【００２１】
本実施形態における本体１Ｄは同様に横方向に交錯する方式で並設されるか（図６参照）、或いは図７に示すように、本体１Ｄは縦横に交錯する方式で並設され、図６とは違う並設方式になる。或いは図８に示すように本体１Ｅ、本体１Ｆ、本体１Ｇ、及び本体１Ｈは表面にそれぞれ色のグラデーションを有し、辺部と辺部とが整合する方式で並設され、これにより第一実施形態と同様の効果を達成しる。
【００２２】
以上、本発明の実施形態について図面を参照して詳述したが、具体的な構成はこの実施形態に限られるものではなく、本発明の要旨を逸脱しない範囲の設計変更等も含まれる。
【符号の説明】
【００２３】
１  本体
１１  長辺
１２  短辺
２  第一凸状歯部
２１  凸状歯の底部
２２  第一斜面部
２３  第一平面部
３  第一凹部
４  第二凸状歯部
４１  凸状歯の底部
４２  第二斜面部
４３  第三斜面部
４４  第四斜面部
４５  第二平面部
５  第二凹部
６  第三凸状歯部
６１  凸状歯の底部
６２  第五斜面部
６３  第六斜面部
６４  第三平面部
７  第三凹部
６Ａ  凸状歯部
７Ａ  凹部
【図１】
2015031149.tif 000003
【図２】
2015031149.tif 000004
【図３】
2015031149.tif 000005
【図４】
2015031149.tif 000006
【図５】
2015031149.tif 000007
【図６】
2015031149.tif 000008
【図７】
2015031149.tif 000009
【図８】
2015031149.tif 000010
【図９】
2015031149.tif 000011